(57)【要約】【課題】より適切に光ディスクにデータ記録を実施するために必要となる記録用設定情報を取得し、設定する。【解決手段】本方法は、光ディスク記録再生装置の装置識別情報を取得する工程と、少なくとも装置識別情報を含む記録用設定情報要求を、ネットワークを介して接続されているサーバに送信する送信工程と、サーバから少なくとも装置識別情報に対応する記録用設定情報を受信する工程と、受信された記録用設定情報を光ディスク記録再生装置に出力し、当該光ディスク記録再生装置内のメモリに格納させる工程とを含む。例えば、サーバにアクセス可能な状態になった場合に、可能な限り全ての種類の光ディスクに対する記録用設定情報を取得して設定しておけば、後に様々な種類の光ディスクに対してデータ記録を実施するような場合にも対応することができるようになる。【選択図】図１
2008299881.tif 000002
【特許請求の範囲】
【請求項１】
光ディスク記録再生装置の装置識別情報を取得するステップと、
少なくとも前記装置識別情報を含む記録用設定情報要求を、ネットワークを介して接続されているサーバに送信する送信ステップと、
前記サーバから少なくとも前記装置識別情報に対応する記録用設定情報を受信するステップと、
受信された前記記録用設定情報を前記光ディスク記録再生装置に出力し、当該光ディスク記録再生装置内のメモリに格納させるステップと、
を含む記録用設定情報設定方法。
【請求項２】
前記光ディスク記録再生装置にセットされている光ディスクのメディアＩＤを取得メディアＩＤとして取得するステップと、
前記光ディスク記録再生装置においてデータ記録を実施したことのある光ディスクのメディアＩＤを格納するメディアＩＤ管理部から、少なくとも一部のメディアＩＤを登録済みメディアＩＤとして取得する登録済みメディアＩＤ取得ステップと、
をさらに含み、
前記記録用設定情報要求が、前記取得メディアＩＤと前記登録済みメディアＩＤとをさらに含み、
受信された前記記録用設定情報が、前記取得メディアＩＤ及び前記登録済みメディアＩＤに含まれるメディアＩＤと前記装置識別情報とに対応するものである
請求項１記載の記録用設定情報設定方法。
【請求項３】
前記光ディスク記録再生装置にセットされている光ディスクのメディアＩＤを取得メディアＩＤとして取得するステップ
をさらに含み、
前記記録用設定情報要求が、前記取得メディアＩＤをさらに含み、
受信された前記記録用設定情報が、前記取得メディアＩＤと前記装置識別情報とに対応するものである
請求項１記載の記録用設定情報設定方法。
【請求項４】
前記光ディスク記録再生装置にセットされている光ディスクのメディアＩＤを取得メディアＩＤとして取得するステップと、
前記光ディスク記録再生装置において実施されるデータ記録の速度についてのデータを取得するステップと、
をさらに含み、
前記記録用設定情報要求が、前記取得メディアＩＤ及び前記データ記録の速度についてのデータをさらに含み、
受信された前記記録用設定情報が、前記取得メディアＩＤと前記データ記録の速度についてのデータと前記装置識別情報とに対応するものである
請求項１記載の記録用設定情報設定方法。
【請求項５】
メディアＩＤ毎に前記記録用設定情報要求の送信先サーバのアドレスを保持するアドレス管理部から、今回送信先となるサーバのアドレスを取得するステップ
をさらに含み、
前記送信ステップにおいて、取得された前記アドレスに前記記録用設定情報要求を送信する
請求項２乃至４のいずれか１つ記載の記録用設定情報設定方法。
【請求項６】
前記登録済みメディアＩＤ取得ステップが、
前記メディアＩＤ管理部から、使用頻度が所定レベル以上である光ディスクのメディアＩＤを前記登録済みメディアＩＤとして抽出するステップ
を含む請求項２記載の記録用設定情報設定方法。
【請求項７】
光ディスク記録再生装置の装置識別情報を取得するステップと、
少なくとも前記装置識別情報を含む記録用設定情報要求を、ネットワークを介して接続されているサーバに送信する送信ステップと、
前記サーバから少なくとも前記装置識別情報に対応する記録用設定情報を受信するステップと、
受信された前記記録用設定情報を前記光ディスク記録再生装置に出力し、当該光ディスク記録再生装置内のメモリに格納させるステップと、
をコンピュータに実行させるためのプログラム。
【請求項８】
前記光ディスク記録再生装置にセットされている光ディスクのメディアＩＤを取得メディアＩＤとして取得するステップと、
前記光ディスク記録再生装置においてデータ記録を実施したことのある光ディスクのメディアＩＤを格納するメディアＩＤ管理部から、少なくとも一部のメディアＩＤを登録済みメディアＩＤとして取得する登録済みメディアＩＤ取得ステップと、
をさらにコンピュータに実行させ、
前記記録用設定情報要求が、前記取得メディアＩＤと前記登録済みメディアＩＤとをさらに含み、
受信された前記記録用設定情報が、前記取得メディアＩＤ及び前記登録済みメディアＩＤに含まれるメディアＩＤと前記装置識別情報とに対応するものである
請求項７記載のプログラム。
【請求項９】
前記光ディスク記録再生装置にセットされている光ディスクのメディアＩＤを取得メディアＩＤとして取得するステップ
をさらにコンピュータに実行させ、
前記記録用設定情報要求が、前記取得メディアＩＤをさらに含み、
受信された前記記録用設定情報が、前記取得メディアＩＤと前記装置識別情報とに対応するものである
請求項７記載のプログラム。
【請求項１０】
前記光ディスク記録再生装置にセットされている光ディスクのメディアＩＤを取得メディアＩＤとして取得するステップと、
前記光ディスク記録再生装置において実施されるデータ記録の速度についてのデータを取得するステップと、
をさらにコンピュータに実行させ、
前記記録用設定情報要求が、前記取得メディアＩＤ及び前記データ記録の速度についてのデータをさらに含み、
受信された前記記録用設定情報が、前記取得メディアＩＤと前記データ記録の速度についてのデータと前記装置識別情報とに対応するものである
請求項７記載のプログラム。
【請求項１１】
メディアＩＤ毎に前記記録用設定情報要求の送信先サーバのアドレスを保持するアドレス管理部から、今回送信先となるサーバのアドレスを取得するステップ
をさらにコンピュータに実行させ、
前記送信ステップにおいて、取得された前記アドレスに前記記録用設定情報要求を送信する
請求項８乃至１０のいずれか１つ記載のプログラム。
【請求項１２】
前記登録済みメディアＩＤ取得ステップが、
前記メディアＩＤ管理部から、使用頻度が所定レベル以上である光ディスクのメディアＩＤを前記登録済みメディアＩＤとして抽出するステップ
を含む請求項８記載のプログラム。
【請求項１３】
装置本体と、
光ディスク記録再生装置と、
を有し、
前記装置本体は、
前記光ディスク記録再生装置の装置識別情報を取得する手段と、
少なくとも前記装置識別情報を含む記録用設定情報要求を、ネットワークを介して接続されているサーバに送信する送信手段と、
前記サーバから少なくとも前記装置識別情報に対応する記録用設定情報を受信する手段と、
受信された前記記録用設定情報を前記光ディスク記録再生装置に出力する手段と、
を有し、
前記光ディスク記録再生装置は、
前記装置本体から受信した前記記録用設定情報を、当該光ディスク記録再生装置内のメモリに格納する手段と、
前記メモリに格納された前記記録用設定情報を用いて、データ記録を実施する手段と、
を有する
データ記録再生装置。
【請求項１４】
前記装置本体が、
前記光ディスク記録再生装置にセットされている光ディスクのメディアＩＤを取得メディアＩＤとして前記光ディスク記録再生装置から取得する手段と、
前記光ディスク記録再生装置においてデータ記録を実施したことのある光ディスクのメディアＩＤを格納するメディアＩＤ管理部と、
前記メディアＩＤ管理部から、少なくとも一部のメディアＩＤを登録済みメディアＩＤとして取得する登録済みメディアＩＤ取得手段と、
をさらに有し、
前記記録用設定情報要求が、前記取得メディアＩＤと前記登録済みメディアＩＤとをさらに含み、
受信された前記記録用設定情報が、前記取得メディアＩＤ及び前記登録済みメディアＩＤに含まれるメディアＩＤと前記装置識別情報とに対応するものである
請求項１３記載のデータ記録再生装置。
【請求項１５】
前記装置本体が、
前記光ディスク記録再生装置にセットされている光ディスクのメディアＩＤを取得メディアＩＤとして前記光ディスク記録再生装置から取得する手段
をさらに有し、
前記記録用設定情報要求が、前記取得メディアＩＤをさらに含み、
受信された前記記録用設定情報が、前記取得メディアＩＤと前記装置識別情報とに対応するものである
請求項１３記載のデータ記録再生装置。
【請求項１６】
前記装置本体が、
前記光ディスク記録再生装置にセットされている光ディスクのメディアＩＤを取得メディアＩＤとして前記光ディスク記録再生装置から取得するステップと、
前記光ディスク記録再生装置において実施されるデータ記録の速度についてのデータを取得する手段と、
をさらに有し、
前記記録用設定情報要求が、前記取得メディアＩＤ及び前記データ記録の速度についてのデータをさらに含み、
受信された前記記録用設定情報が、前記取得メディアＩＤと前記データ記録の速度についてのデータと前記装置識別情報とに対応するものである
請求項１３記載のデータ記録再生装置。
【請求項１７】
前記装置本体が、
メディアＩＤ毎に前記記録用設定情報要求の送信先サーバのアドレスを保持するアドレス管理部と、
前記アドレス管理部から、今回送信先となるサーバのアドレスを取得する手段と、
をさらに有し、
前記送信手段において、取得された前記アドレスに前記記録用設定情報要求を送信する
請求項１４乃至１６のいずれか１つ記載のデータ記録再生装置。
【請求項１８】
前記登録済みメディアＩＤ取得手段が、
前記メディアＩＤ管理部から、使用頻度が所定レベル以上である光ディスクのメディアＩＤを前記登録済みメディアＩＤとして抽出する
を有する請求項１４記載のデータ記録再生装置。
【発明の詳細な説明】
【技術分野】
【０００１】
本発明は、光ディスクに対するデータ記録において用いられる記録用設定情報の取得及び設定技術に関する。
【背景技術】
【０００２】
例えば、特開２００３−２２８８３６号公報には、データを書き込み可能な光学的記録媒体のライトストラテジを指定する情報を外部より取得し、取得した当該情報が指定するライトストラテジに従って、当該光学的記録媒体へとデータを書き込むという技術が開示されている。
【０００３】
また、特開２００５−１２２８４０号公報には、個々の記録媒体の特性に応じて情報の再生や記録を行えるようにするための技術が開示されている。具体的には、情報処理装置は、個体情報記録エリアを有するミニディスクからユニークＩＤを取得する。個々のミニディスクの特性情報がネットワークサーバで管理される。情報処理装置はユニークＩＤで特定されるミニディスクに対応する特性情報をネットワークサーバから取得し、特性情報に応じてサーボ特性を最適化して情報の記録や再生を行う。
【特許文献１】特開２００３−２２８８３６号公報
【特許文献２】特開２００５−１２２８４０号公報
【発明の開示】
【発明が解決しようとする課題】
【０００４】
上で述べた従来技術では、単純に外部から光ディスクについてのデータを取得するということだけが開示されており、光ディスク記録再生装置及び光ディスクの組み合わせにおいて適切なデータを取得するようにはなっていない。また、ネットワークを介してデータを取得する場合における問題についてあまり考察されていない。
【０００５】
従って、本発明の目的は、より適切に光ディスクにデータ記録を実施するために必要となる記録用設定情報を取得し、設定するための技術を提供することである。
【０００６】
また、本発明の他の目的は、光ディスク記録再生装置における光ディスクの使用状況やネットワーク環境等に応じて適切な記録用設定情報を取得し、設定するための技術を提供することである。
【０００７】
さらに、本発明の他の目的は、光ディスクにデータ記録を実施するために必要となる記録用設定情報を効率的に取得して設定するための技術を提供することである。
【課題を解決するための手段】
【０００８】
本発明に係る記録用設定情報設定方法は、光ディスク記録再生装置の装置識別情報を取得するステップと、少なくとも装置識別情報を含む記録用設定情報要求を、ネットワークを介して接続されているサーバに送信する送信ステップと、サーバから少なくとも装置識別情報に対応する記録用設定情報を受信するステップと、受信された記録用設定情報を光ディスク記録再生装置に出力し、当該光ディスク記録再生装置内のメモリに格納させるステップとを含む。このようにすれば、光ディスク記録再生装置の種別に応じた適切な記録用設定情報を取得して設定することができるようになる。例えば、サーバにアクセス可能な状態になった場合に、可能な限り全ての種類の光ディスクに対する記録用設定情報を取得して設定しておけば、後に様々な種類の光ディスクに対してデータ記録を実施するような場合にもその時にネットワークに接続できるか否かを問わず対応することができるようになる。
【０００９】
また、本発明において、光ディスク記録再生装置にセットされている光ディスクのメディアＩＤを取得メディアＩＤとして取得するステップと、光ディスク記録再生装置においてデータ記録を実施したことのある光ディスクのメディアＩＤを格納するメディアＩＤ管理部から、少なくとも一部のメディアＩＤを登録済みメディアＩＤとして取得する登録済みメディアＩＤ取得ステップとをさらに含むようにしてもよい。その場合、上で述べた記録用設定情報要求は、取得メディアＩＤと登録済みメディアＩＤとをさらに含む。また、受信された記録用設定情報は、取得メディアＩＤ及び登録済みメディアＩＤに含まれるメディアＩＤと装置識別情報とに対応するものである。このようにすれば、必ずネットワークを使用できるような環境ではない場合においても、サーバにアクセス可能な状態になった場合には、今回データ記録を行う光ディスクや過去に使用したことのある光ディスクに対するデータ記録のための記録用設定情報を効率的に取得して設定することができるようになる。
【００１０】
さらに、本発明において、光ディスク記録再生装置にセットされている光ディスクのメディアＩＤを取得メディアＩＤとして取得するステップをさらに含むようにしてもよい。その場合、上で述べた記録用設定情報要求は、取得メディアＩＤをさらに含む。また、受信された記録用設定情報は、取得メディアＩＤと装置識別情報とに対応するものである。このようにすれば、今回のデータ記録に必要なデータを効率的に取得して設定することができるようになる。
【００１１】
また、本発明において、光ディスク記録再生装置にセットされている光ディスクのメディアＩＤを取得メディアＩＤとして取得するステップと、光ディスク記録再生装置において実施されるデータ記録の速度についてのデータを取得するステップとをさらに含むようにしてもよい。その場合、上で述べた記録用設定情報要求は、取得メディアＩＤ及びデータ記録の速度についてのデータをさらに含む。また、受信された記録用設定情報は、取得メディアＩＤとデータ記録の速度についてのデータと装置識別情報とに対応するものである。このようにすれば、今回のデータ記録に必要なデータを効率的に取得して設定することができるようになる。
【００１２】
なお、本発明において、メディアＩＤ毎に記録用設定情報要求の送信先サーバのアドレスを保持するアドレス管理部から、今回送信先となるサーバのアドレスを取得するステップをさらに含むようにしてもよい。その場合、上で述べた送信ステップにおいて、取得されたアドレスに上記記録用設定情報要求を送信する。例えば、光ディスクの供給元毎にサーバが設置されている場合に対応することができるようになる。但し、サーバは例えば光ディスクのライティング・プログラムのベンダによって設置されたサーバにアクセスするようにしても良い。
【００１３】
また、上で述べた登録済みメディアＩＤ取得ステップが、メディアＩＤ管理部から、使用頻度が所定レベル以上である光ディスクのメディアＩＤを登録済みメディアＩＤとして抽出するステップを含むようにしてもよい。このようにすれば、効率的に記録用設定情報を取得することができるようになる。なお、記録用設定情報は、全てを光ディスク記録再生装置内のメモリに格納させず、直ぐに使用しないものについてはパーソナルコンピュータなどの記憶装置に格納しておくようにしても良い。
【００１４】
なお、本発明の記録用設定情報設定方法をコンピュータに実行させるためのプログラムを作成することができ、当該プログラムは、例えばフレキシブル・ディスク、ＣＤ−ＲＯＭなどの光ディスク、光磁気ディスク、半導体メモリ、ハードディスク等の記憶媒体又は記憶装置に格納される。また、ネットワークを介してディジタル信号にて頒布される場合もある。なお、処理途中のデータについては、メイン・メモリ等の記憶装置に一時保管される。
【発明の効果】
【００１５】
本発明によれば、より適切に光ディスクにデータ記録を実施するために必要となる記録用設定情報を取得し、設定することができるようになる。
【００１６】
また、本発明の他の側面によれば、光ディスク記録再生装置における光ディスクの使用状況やネットワーク環境等に応じて適切な記録用設定情報を取得し、設定することができるようになる。
【００１７】
さらに、本発明の他の側面によれば、光ディスクにデータ記録を実施するために必要となる記録用設定情報を効率的に取得して設定することができるようになる。
【発明を実施するための最良の形態】
【００１８】
［実施の形態１］
図１に第１の実施の形態に係るシステム概要図を示す。例えばインターネットであるネットワーク１には、１又は複数のパーソナルコンピュータ３（ＰＣ：Personal Computer）と、各種ストラテジデータを格納するストラテジデータ格納部５１を管理する１又は複数のサーバ５とが接続されている。ＰＣ３は、デスクトップ型であってもよいし、ノートブック型であってもよい。ＰＣ３は、ＰＣ本体３１と光ディスク記録再生装置である光ディスクドライブ３２とを有する。光ディスクドライブ３２は、ＰＣ本体３１と一体化されていてもよいし、ＵＳＢ（Universal Serial Bus）などで外付けされるようになっていてもよい。また、ＰＣ３は、常時ネットワーク１に接続していても良いし、必要な時に一時的にネットワーク１に接続するものであってもよい。
【００１９】
ＰＣ本体３１は、本実施の形態の主要部であるデータ書込部３１１と、ＵＲＬ（Uniform Resource Locator）管理ファイル３１３とを有する。データ書込部３１１は、本実施の形態に係るデータ書込プログラムをＰＣ本体３１によって実行することによって実現される。また、データ書込部３１１は、記録用設定情報取得設定部３１１１を含む。
【００２０】
光ディスクドライブ３２は、データ記録機能及びデータ再生機能などの主要機能の他に、データ記録機能で用いられる記録用設定情報を格納する記録用設定情報格納部３２１を有している。
【００２１】
図２に、サーバ５に管理されるストラテジデータ格納部５１に格納されるストラテジデータの管理状態を模式的に示す。ストラテジデータは、ドライブＩＤとメディアＩＤと記録速度との各組み合わせについて、必要となる複数のパラメータ（図２の例ではｄＴｔｏｐのみを示す）を含む。パラメータは、図３に示すようなマルチパルス（Multi-Pulse）形式又は図４に示すようなノンマルチパルス（Non-Multi-Pulse）形式のいずれかにおけるパラメータである。例えば、記録速度が低い場合にはマルチパルス形式を採用し、記録速度が高い場合にはノンマルチパルス形式を採用するか、全ての記録速度についてノンマルチパルス形式を採用する。マルチパルス形式の場合には、図３に示すように、ｄＴｔｏｐ、Ｔｔｏｐ、Ｔｍｐ、Ｔｌｐ、ｄＴｓなどを含む。同様に、ノンマルチパル形式の場合には、ｄＴｔｏｐ、ＬＤＨ、ＴＢＳＴ、ｄＴｌａｓｔ、ｄＴｓ、Ｄｕｔｙなどを含む。
【００２２】
さらに、図５で示すように、各パラメータ（一部のみの場合もある）について、記録するマーク長と先行するスペース長との組み合わせで、設定値を保持することが好ましい。図５は、ｄＴｔｏｐの場合を示しており、マーク２Ｔから６Ｔまでのそれぞれについて、先行するスペース長が２Ｔから５Ｔまでの各々に設定値が登録されている。なお、符号長については、光ディスクの規格に応じて必要な符号長が選択される。
【００２３】
また、図６に、ＵＲＬ管理ファイル３１３に格納されるデータの一例を示す。図６の例では、メディアＩＤ毎に、サーバ５のＵＲＬが登録されている。但し、サーバ５がネットワーク１に１台のみ用意される場合には、サーバ５のＵＲＬのみが登録されている。なお、例えば光ディスク製造メーカ毎にサーバが用意される場合もある。
【００２４】
次に、図７乃至図９を用いて図１に示したシステムの動作を説明する。まず、例えばＰＣ３のユーザの指示に応じて、データ書込部３１１が起動される（ステップＳ１）。また、ユーザは、光ディスクドライブ３２に、今回データ記録を行う光ディスクを挿入するなどして、光ディスクドライブ３２は当該光ディスクをスピンドルモータ等にセットする（ステップＳ３）。
【００２５】
そして、ＰＣ本体３１のデータ書込部３１１は、ドライブＩＤ要求を光ディスクドライブ３２に出力する（ステップＳ５）。これに対して、光ディスクドライブ３２は、データ書込部３１１からドライブＩＤ要求を受信し（ステップＳ７）、例えば光ディスクドライブ３２のメモリに格納されているドライブＩＤ（装置ＩＤ）を読み出して、データ書込部３１１に出力する（ステップＳ９）。データ書込部３１１は、光ディスクドライブ３２からドライブＩＤを受信し、例えばメインメモリに格納する（ステップＳ１１）。なお、ＯＳ（Operating System）等によって既にＰＣ３の構成データとして取得されているデータが存在する場合には、ステップＳ５乃至Ｓ１１の代わりに、データ書込部３１１は、当該データを用いるようにしても良い。
【００２６】
さらに、データ書込部３１１は、光ディスクドライブ３２にメディア情報取得要求を出力する（ステップＳ１３）。光ディスクドライブ３２は、メディア情報取得要求を受信し（ステップＳ１５）、ステップＳ３でセットされた光ディスクからメディアＩＤ等のメディア情報を読み出し、データ書込部３１１に出力する（ステップＳ１７）。データ書込部３１１は、光ディスクドライブ３２からメディア情報を受信し、例えばメインメモリに格納する（ステップＳ１９）。メディア情報については、サーバ５からストラテジデータを取得するような処理を実施することを表す専用のコードが含まれる場合もある。さらに、本実施の形態では、直接は用いられないが、光ディスクの使用履歴を記録するため、メディアＩＤを例えば使用履歴管理ファイルに登録するようにしても良い。
【００２７】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ２１）。
【００２８】
そして、データ書込部３１１は、サーバ５からストラテジデータを取得するか判断する（ステップＳ２３）。例えば、ステップＳ２１でユーザから指示された場合、ステップＳ１９で上で述べたような専用のコードを受信した場合、ＰＣ３がネットワーク１に接続していることを確認できた場合などに、サーバ５からストラテジデータを取得すると判断する。それ以外の場合には、端子Ａを介して図９の処理に移行する。
【００２９】
サーバ５からストラテジデータを取得する場合には、データ書込部３１１の記録用設定情報取得設定部３１１１は、ストラテジデータを保持するサーバ５のＵＲＬを、例えばＵＲＬ管理ファイル３１３から読み出す（ステップＳ２５）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。また、複数のメディアＩＤに対応してサーバ５のＵＲＬが複数取得される場合もある。
【００３０】
その後、記録用設定情報取得設定部３１１１は、ステップＳ１１で取得したドライブＩＤを含むストラテジ要求をネットワーク１を介してステップＳ２５で取得したＵＲＬ宛（サーバ５）に送信する（ステップＳ２７）。複数のサーバ５からストラテジデータを取得する場合には、ステップＳ２７乃至Ｓ３３をサーバ５の台数に相当する回数実施する。なお、サーバ５の利用が会員制などである場合には、ログインのための処理を実施した後にステップＳ２７を実施する。
【００３１】
サーバ５は、ＰＣ３からドライブＩＤを含むストラテジ要求を受信すると（ステップＳ２９）、受信したドライブＩＤでストラテジデータ格納部５１を検索してドライブＩＤに対応する全てのストラテジデータを読み出し、要求元のＰＣ３へ送信する（ステップＳ３１）。ＰＣ３におけるデータ書込部３１１の記録用設定情報取得設定部３１１１は、サーバ５から、ドライブＩＤに対応するストラテジデータを受信し、例えばハードディスクドライブなどに一旦格納する（ステップＳ３３）。処理は端子Ｂを介して図８の処理に移行する。
【００３２】
図８の処理の説明に移行して、記録用設定情報取得設定部３１１１は、受信したストラテジデータを含むストラテジ設定コマンドを光ディスクドライブ３２に出力する（ステップＳ３５）。光ディスクドライブ３２は、ストラテジデータを含むストラテジ設定コマンドを受信し（ステップＳ３７）、ストラテジデータを記録用設定情報格納部３２１に上書き記録する（ステップＳ３９）。なお、従前の（例えばデフォルトの）ストラテジデータを残しておいて、受け取ったストラテジデータを追記するようにしてもよい。また、記録用設定情報取得設定部３１１１が、ステップＳ１９で取得されたメディアＩＤのストラテジデータから光ディスクドライブ３２に出力するようにすれば、ステップＳ３９とステップＳ４１以降の処理とを並行して実施できるようになるため、データ記録を早期に完了させることができるようになる。
【００３３】
その後、光ディスクドライブ３２は、ステップＳ１７で読み出したメディアＩＤに対応するストラテジデータを記録用設定情報格納部３２１から読み出し、今回使用するストラテジデータとして設定する（ステップＳ４１）。そして、通常テスト記録（例えば、ＯＰＣ（Optimum Power Control））を実施し、最適記録パワーを特定する（ステップＳ４３）。この処理については周知の手法を用いることができるので、詳細な説明については省略する。そしてステップＳ４３で特定された最適記録パワーを、今回使用する記録パワーとして設定する（ステップＳ４５）。これによってデータ記録を実施する準備が完了した。
【００３４】
よって、光ディスクドライブ３２は、記録パワーの設定完了をＰＣ本体３１のデータ書込部３１１に通知する（ステップＳ４７）。データ書込部３１１は、光ディスクドライブ３２から記録パワーの設定完了通知を受信すると（ステップＳ４９）、記録すべきデータを光ディスクドライブ３２に出力する（ステップＳ５１）。光ディスクドライブ３２は、ＰＣ本体３１から記録データを受信し、上で行われた設定に従ってデータ記録を実施する（ステップＳ５３）。
【００３５】
一方、サーバ５からストラテジデータを取得しない場合の処理、すなわち端子Ａ以降の処理について図９を用いて説明する。この場合には、データ書込部３１１は、光ディスクドライブ３２に記録準備を指示する（ステップＳ５５）。光ディスクドライブ３２は、ＰＣ本体３１から記録準備指示を受信すると（ステップＳ５７）、ステップＳ１７で読み出したメディアＩＤに対応するストラテジデータを記録用設定情報格納部３２１から読み出し、今回使用するストラテジデータとして設定する（ステップＳ５９）。そして、通常テスト記録（例えば、ＯＰＣ）を実施し、最適記録パワーを特定する（ステップＳ６１）。この処理については周知の手法を用いることができるので、詳細な説明については省略する。そしてステップＳ６１で特定された最適記録パワーを、今回使用する記録パワーとして設定する（ステップＳ６３）。これによってデータ記録を実施する準備が完了した。
【００３６】
よって、光ディスクドライブ３２は、記録パワーの設定完了をＰＣ本体３１のデータ書込部３１１に通知する（ステップＳ６５）。データ書込部３１１は、光ディスクドライブ３２から記録パワーの設定完了通知を受信すると（ステップＳ６７）、記録すべきデータを光ディスクドライブ３２に出力する（ステップＳ６９）。光ディスクドライブ３２は、ＰＣ本体３１から記録データを受信し、上で行われた設定に従ってデータ記録を実施する（ステップＳ７１）。
【００３７】
このような処理を実施することによって、サーバ５に接続できる場合には、今後必要となる可能性のあるストラテジデータを取得して設定することができるようになる。すなわち、データ記録を実施する毎にサーバ５に接続しなくとも、それ以前に適切なストラテジデータが取得されているので、それを用いてデータ記録を行うことができ、ユーザはＣＤ−ＲやＤＶＤ−Ｒなどの光ディスクにデータ記録を適切に行うことができるようになる。
【００３８】
なお、ストラテジデータについてサーバ５から取得する例を上では示したが、パワー制御情報を含む場合もある。このパワー制御情報には、ステップＳ４３で実施されるＯＰＣのＯＰＣ条件を含む場合がある。ＯＰＣ条件には、（１）テスト記録時における図３及び図４で示したＰｗ、Ｐｂｗ、Ｐｓ、Ｐｃ、Ｐｍについての設定値、（２）最適パワー判断基準値を含む場合がある。
【００３９】
（１）の場合には、メインパワー（Ｐｗ）条件については、複数の設定値、又は１つの基準設定値と当該基準設定値に対する所定の変更条件が含まれる。また、メインパワー以外の条件については、例えばメインパワー（Ｐｗ）に対する所定の係数（εＰｂｗ、εＰｓ、εＰｃ、εＰｍ。例えば、Ｐｂｗ＝Ｐｗ×εＰｂｗで算出する。）が含まれる。なお、Ｐｂｗ＝Ｐｗ×εＰｂｗ＋αというような形で算出される場合には、オフセット値αを含むような場合もある。
【００４０】
（２）の場合には、各メディアＩＤについて、ターゲットとなる値（ＤＶＤであれば、β値、Ｂｌｕ-ｒａｙの場合には、アシンメトリ値のターゲット値、又はメインパワー（Ｐｗ）に対する変調度カーブからの外挿条件パラメータ（κ、Ｐｉｎｄ、Ｍｉｎｄ、ρなど）を含む。
【００４１】
また、パワー制御情報には、ＷＯＰＣ（Walking OPC：記録動作を一時停止し、記録パワー調整を行った後に記録を再開する方式）又はＲＯＰＣ（Running OPC：記録動作を止めることなく並行して記録パワー調整を行う方式）における（１）記録速度条件に応じた、測定値（β値、アシンメトリ値、電圧レベル値など）又は当該測定値とターゲット値との差分量に対応する記録パワー調整量（例えば記録パワー調整量テーブル又は導出式）、（２）記録速度条件に応じた記録パワー設定値（設定テーブル又は導出式）、（３）記録速度条件に応じた最適記録パワー基準値などを含む。
【００４２】
［実施の形態２］
本発明の第２の実施の形態に係るシステム概要を図１０に示す。図１に示した第１の実施の形態に係るシステム概要との差は、ＰＣ本体３１に光ディスク使用履歴管理ファイル３１２が導入された点である。この光ディスク使用履歴管理ファイル３１２には、例えば図１１に示すようなデータが格納される。図１１の例では、使用したことのあるメディアＩＤ毎に、使用回数、前回使用日、順位が登録されるようになっている。順位は、例えば使用回数が多い順、又は前回使用日が現在日から近い順などを表す。データ書込部３１１が例えばこのような光ディスク使用履歴管理ファイル３１２を管理しており、以下に示すような処理を実施する。なお、図１０において、光ディスク使用履歴管理ファイル３１２以外の要素については、第１の実施の形態とは機能が異なるものがあるが、ここでは同じ参照符号を用いるものとする。
【００４３】
まず、例えばＰＣ３のユーザの指示に応じて、データ書込部３１１が起動される（ステップＳ８１）。また、ユーザは、光ディスクドライブ３２に、今回データ記録を行う光ディスクを挿入するなどして、光ディスクドライブ３２は当該光ディスクをスピンドルモータ等にセットする（ステップＳ８３）。
【００４４】
そして、ＰＣ本体３１のデータ書込部３１１は、ドライブＩＤ要求を光ディスクドライブ３２に出力する（ステップＳ８５）。これに対して、光ディスクドライブ３２は、データ書込部３１１からドライブＩＤ要求を受信し（ステップＳ８７）、例えば光ディスクドライブ３２のメモリに格納されているドライブＩＤ（装置ＩＤ）を読み出して、データ書込部３１１に出力する（ステップＳ８９）。データ書込部３１１は、光ディスクドライブ３２からドライブＩＤを受信し、例えばメインメモリに格納する（ステップＳ９１）。なお、ＯＳ等により既にＰＣ３の構成データとして取得されているデータが存在する場合には、ステップＳ８５乃至９１の代わりに、データ書込部３１１は、当該データを用いるようにしても良い。
【００４５】
さらに、データ書込部３１１は、光ディスクドライブ３２にメディア情報取得要求を出力する（ステップＳ９３）。光ディスクドライブ３２は、メディア情報取得要求を受信し（ステップＳ９５）、ステップＳ８３でセットされた光ディスクからメディアＩＤ等のメディア情報を読み出し、データ書込部３１１に出力する（ステップＳ９７）。データ書込部３１１は、光ディスクドライブ３２からメディア情報を受信し、例えばメインメモリに格納する（ステップＳ９９）。メディア情報については、サーバ５からストラテジデータを取得するような処理を実施することを表す専用のコードが含まれる場合もある。
【００４６】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ１０１）。
【００４７】
そして、データ書込部３１１は、サーバ５からストラテジデータを取得するか判断する（ステップＳ１０３）。例えば、ステップＳ１０１でユーザから指示された場合、ステップＳ９９で上で述べたような専用のコードを受信した場合、ＰＣ３がネットワーク１に接続していることを確認できた場合などに、サーバ５からストラテジデータを取得すると判断する。それ以外の場合には、端子Ａを介して第１の実施の形態において説明した図９の処理に移行する。よって説明は省略する。
【００４８】
サーバ５からストラテジデータを取得する場合には、データ書込部３１１の記録用設定情報取得設定部３１１１は、光ディスク使用履歴管理ファイル３１２から、登録済みメディアＩＤを読み出す（ステップＳ１０５）。本ステップでは、登録済みメディアＩＤを全て読み出すようにしても良いし、例えば順位が１０位までのメディアＩＤを読み出すようにしても良い。なお、初めてサーバ５にアクセスする際には、光ディスク使用履歴管理ファイル３１２にはメディアＩＤは登録されていないので、登録済みメディアＩＤはなしということになる。そして、登録済みメディアＩＤ及び取得メディアＩＤに対応し、ストラテジデータを保持するサーバ５のＵＲＬを、例えばＵＲＬ管理ファイル３１３から読み出す（ステップＳ１０７）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。また、サーバ５のＵＲＬが複数取得される場合もある。処理は端子Ｃを介して図１３の処理に移行する。
【００４９】
図１３の処理の説明に移行して、記録用設定情報取得設定部３１１１は、ステップＳ９１で取得したドライブＩＤとステップＳ９９で取得した取得メディアＩＤとステップＳ１０５で読み出した登録済みメディアＩＤとを含むストラテジ要求をネットワーク１を介してステップＳ１０７で取得したＵＲＬ宛（サーバ５）に送信する（ステップＳ１０９）。複数のサーバ５からストラテジデータを取得する場合には、ステップＳ１０９乃至Ｓ１１５をサーバ５の台数に相当する回数実施する。その際には、サーバ５毎に担当するメディアＩＤに分けてストラテジ要求を生成する。なお、サーバ５の利用が会員制などである場合には、ログインのための処理を実施した後にステップＳ１０９を実施する。
【００５０】
サーバ５は、ＰＣ３からドライブＩＤ、取得メディアＩＤ及び登録済みメディアＩＤを含むストラテジ要求を受信すると（ステップＳ１１１）、受信したドライブＩＤ及び各メディアＩＤの組み合わせでストラテジデータ格納部５１を検索してドライブＩＤ及びメディアＩＤに対応するストラテジデータを読み出し、要求元のＰＣ３へ送信する（ステップＳ１１３）。ＰＣ本体３１におけるデータ書込部３１１の記録用設定情報取得設定部３１１１は、サーバ５から、ドライブＩＤ及びメディアＩＤに対応するストラテジデータを受信し、例えばハードディスクドライブなどに一旦格納する（ステップＳ１１５）。
【００５１】
そして、記録用設定情報取得設定部３１１１は、受信したストラテジデータを含むストラテジ設定コマンドを光ディスクドライブ３２に出力する（ステップＳ１１７）。光ディスクドライブ３２は、ストラテジデータを含むストラテジ設定コマンドを受信し（ステップＳ１１９）、ストラテジデータを記録用設定情報格納部３２１に上書き記録する（ステップＳ１２１）。なお、従前の（例えば、デフォルトの）ストラテジデータを残しておいて、受け取ったストラテジデータを追記するようにしてもよい。
【００５２】
一方、ＰＣ本体３１におけるデータ書込部３１１の記録用設定情報取得設定部３１１１は、光ディスク使用履歴管理ファイル３１２を更新する（ステップＳ１３１）。具体的には、ステップＳ９９で取得したメディアＩＤが、光ディスク使用履歴管理ファイル３１２に登録済みであるかどうかを判断し、メディアＩＤが登録済みであれば、使用回数を１インクリメントすると共に、前回使用日を本日に変更する。さらに、使用回数を降順にソートして順位が入れ替わるようであれば、順位の欄を更新する。一方、ステップＳ９９で取得したメディアＩＤが未登録である場合には、当該メディアＩＤを登録すると共に、使用回数を１にセットし、前回使用日を本日として登録する。さらに、順位については最下位にセットする。
【００５３】
また、光ディスクドライブ３２は、ステップＳ９７で読み出したメディアＩＤに対応するストラテジデータを記録用設定情報格納部３２１から読み出し、今回使用するストラテジデータとして設定する（ステップＳ１２３）。そして、通常テスト記録（例えば、ＯＰＣ）を実施し、最適記録パワーを特定する（ステップＳ１２５）。この処理については周知の手法を用いることができるので、詳細な説明については省略する。そしてステップＳ１２５で特定された最適記録パワーを、今回使用する記録パワーとして設定する（ステップＳ１２７）。これによってデータ記録を実施する準備が完了した。
【００５４】
よって、光ディスクドライブ３２は、記録パワーの設定完了をＰＣ本体３１のデータ書込部３１１に通知する（ステップＳ１２９）。データ書込部３１１は、光ディスクドライブ３２から記録パワーの設定完了通知を受信すると（ステップＳ１３３）、記録すべきデータを光ディスクドライブ３２に出力する（ステップＳ１３５）。光ディスクドライブ３２は、ＰＣ本体３１から記録データを受信し、上で行われた設定に従ってデータ記録を実施する（ステップＳ１３７）。
【００５５】
このような処理を実施することによって、第１の実施の形態よりもダウンロードするストラテジデータの量を減らすことができる。すなわち、通信負荷を減らすことによって、早期にデータ記録を開始することができるようになる。また、常時ネットワーク１に接続できないようなＰＣ３の場合においても、使用頻度が所定レベル以上の光ディスクについては、ネットワーク１に接続してサーバ５にアクセスできるタイミングで、最新のストラテジデータを取得することができるため、高い確率で適切なストラテジデータを用いて光ディスクに対して適切なデータ記録が行われるようになる。
【００５６】
なお、本実施の形態においても、第１の実施の形態で述べたように、パワー制御情報をサーバ５から取得するような場合もある。
【００５７】
［実施の形態３］
本実施の形態に係るシステム概要は第１の実施の形態とほぼ同じである。従って、動作内容は異なるが、図１に示した参照符号をそのまま用いるものとする。以下、本実施の形態における処理内容を説明する。
【００５８】
まず、例えばＰＣ３のユーザの指示に応じて、データ書込部３１１が起動される（ステップＳ１４１）。また、ユーザは、光ディスクドライブ３２に、今回データ記録を行う光ディスクを挿入するなどして、光ディスクドライブ３２は当該光ディスクをスピンドルモータ等にセットする（ステップＳ１４３）。
【００５９】
そして、ＰＣ本体３１のデータ書込部３１１は、ドライブＩＤ要求を光ディスクドライブ３２に出力する（ステップＳ１４５）。これに対して、光ディスクドライブ３２は、データ書込部３１１からドライブＩＤ要求を受信し（ステップＳ１４７）、例えば光ディスクドライブ３２のメモリに格納されているドライブＩＤ（装置ＩＤ）を読み出して、データ書込部３１１に出力する（ステップＳ１４９）。データ書込部３１１は、光ディスクドライブ３２からドライブＩＤを受信し、例えばメインメモリに格納する（ステップＳ１５１）。なお、ＯＳ等により既にＰＣ３の構成データとして取得されているデータが存在する場合には、ステップＳ１４５乃至１５１の代わりに、データ書込部３１１は、当該データを用いるようにしても良い。
【００６０】
さらに、データ書込部３１１は、光ディスクドライブ３２にメディア情報取得要求を出力する（ステップＳ１５３）。光ディスクドライブ３２は、メディア情報取得要求を受信し（ステップＳ１５５）、ステップＳ１４３でセットされた光ディスクからメディアＩＤ等のメディア情報を読み出し、データ書込部３１１に出力する（ステップＳ１５７）。データ書込部３１１は、光ディスクドライブ３２からメディア情報を受信し、例えばメインメモリに格納する（ステップＳ１５９）。メディア情報については、サーバ５からストラテジデータを取得するような処理を実施することを表す専用のコードが含まれる場合もある。
【００６１】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ１６１）。
【００６２】
そして、データ書込部３１１は、サーバ５からストラテジデータを取得するか判断する（ステップＳ１６３）。例えば、ステップＳ１６１でユーザから指示された場合、ステップＳ１５９で上で述べたような専用のコードを受信した場合、ＰＣ３がネットワーク１に接続していることを確認できた場合などに、サーバ５からストラテジデータを取得すると判断する。それ以外の場合には、端子Ａを介して第１の実施の形態において説明した図９の処理に移行する。よって説明は省略する。
【００６３】
サーバ５からストラテジデータを取得する場合には、取得メディアＩＤに対応し、ストラテジデータを保持するサーバ５のＵＲＬを、例えばＵＲＬ管理ファイル３１３から読み出す（ステップＳ１６５）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。
【００６４】
そして、記録用設定情報取得設定部３１１１は、ステップＳ１５１で取得したドライブＩＤとステップＳ１５９で取得した取得メディアＩＤとを含むストラテジ要求をネットワーク１を介してステップＳ１６５で取得したＵＲＬ宛（サーバ５）に送信する（ステップＳ１６７）。複数のＵＲＬが抽出された場合には、それぞれについてストラテジ要求を出力する。なお、サーバ５の利用が会員制などである場合には、ログインのための処理を実施した後にステップＳ１６７を実施する。
【００６５】
サーバ５は、ＰＣ３からドライブＩＤ及び取得メディアＩＤを含むストラテジ要求を受信すると（ステップＳ１６９）、受信したドライブＩＤ及び取得メディアＩＤの組み合わせでストラテジデータ格納部５１を検索してドライブＩＤ及び取得メディアＩＤに対応するストラテジデータを読み出し、要求元のＰＣ３へ送信する（ステップＳ１７１）。ＰＣ本体３１におけるデータ書込部３１１の記録用設定情報取得設定部３１１１は、サーバ５から、ドライブＩＤ及び取得メディアＩＤに対応するストラテジデータを受信し、例えばハードディスクドライブなどに一旦格納する（ステップＳ１７３）。処理は端子Ｄを介して図１５の処理に移行する。
【００６６】
図１５の処理の説明に移行して、記録用設定情報取得設定部３１１１は、受信したストラテジデータを含むストラテジ設定コマンドを光ディスクドライブ３２に出力する（ステップＳ１７５）。光ディスクドライブ３２は、ストラテジデータを含むストラテジ設定コマンドを受信し（ステップＳ１７７）、当該ストラテジデータを記録用設定情報格納部３２１に上書き記録する（ステップＳ１７９）。なお、従前の（例えば、デフォルトの）ストラテジデータを残しておいて、受け取ったストラテジデータを追記するようにしてもよい。
【００６７】
また、光ディスクドライブ３２は、ステップＳ１５７で読み出したメディアＩＤに対応するストラテジデータを記録用設定情報格納部３２１から読み出し、今回使用するストラテジデータとして設定する（ステップＳ１８１）。そして、通常テスト記録（例えば、ＯＰＣ）を実施し、最適記録パワーを特定する（ステップＳ１８３）。この処理については周知の手法を用いることができるので、詳細な説明については省略する。そしてステップＳ１８３で特定された最適記録パワーを、今回使用する記録パワーとして設定する（ステップＳ１８５）。これによってデータ記録を実施する準備が完了した。
【００６８】
よって、光ディスクドライブ３２は、記録パワーの設定完了をＰＣ本体３１のデータ書込部３１１に通知する（ステップＳ１８７）。データ書込部３１１は、光ディスクドライブ３２から記録パワーの設定完了通知を受信すると（ステップＳ１８９）、記録すべきデータを光ディスクドライブ３２に出力する（ステップＳ１９１）。光ディスクドライブ３２は、ＰＣ本体３１から記録データを受信し、上で行われた設定に従ってデータ記録を実施する（ステップＳ１９３）。
【００６９】
このような処理を実施することによって、今回使用する光ディスクに必要な最新のストラテジデータを取得することができ、データ記録を適切に実施することができる。なお、第１及び第２の実施の形態よりもサーバ５からダウンロードするデータ量が削減されており、データ記録を早期に開始することができる。また、全ての記録速度についてのストラテジデータを取得するものであり、例えばユーザが指定した記録速度で書き込みができない場合にも対処することができる。
【００７０】
なお、第１及び第２の実施の形態と同様に、パワー制御情報をサーバ５から取得する場合もある。
【００７１】
［実施の形態４］
本実施の形態に係るシステム概要は第１の実施の形態とほぼ同じである。従って、動作内容は異なるが、図１に示した参照符号をそのまま用いるものとする。以下、本実施の形態における処理内容を説明する。
【００７２】
まず、例えばＰＣ３のユーザの指示に応じて、データ書込部３１１が起動される（ステップＳ２０１）。また、ユーザは、光ディスクドライブ３２に、今回データ記録を行う光ディスクを挿入するなどして、光ディスクドライブ３２は当該光ディスクをスピンドルモータ等にセットする（ステップＳ２０３）。
【００７３】
そして、ＰＣ本体３１のデータ書込部３１１は、ドライブＩＤ要求を光ディスクドライブ３２に出力する（ステップＳ２０５）。これに対して、光ディスクドライブ３２は、データ書込部３１１からドライブＩＤ要求を受信し（ステップＳ２０７）、例えば光ディスクドライブ３２のメモリに格納されているドライブＩＤ（装置ＩＤ）を読み出して、データ書込部３１１に出力する（ステップＳ２０９）。データ書込部３１１は、光ディスクドライブ３２からドライブＩＤを受信し、例えばメインメモリに格納する（ステップＳ２１１）。なお、ＯＳ等により既にＰＣ３の構成データとして取得されているデータが存在する場合には、ステップＳ２０５乃至２１１の代わりに、データ書込部３１１は、当該データを用いるようにしても良い。
【００７４】
さらに、データ書込部３１１は、光ディスクドライブ３２にメディア情報取得要求を出力する（ステップＳ２１３）。光ディスクドライブ３２は、メディア情報取得要求を受信し（ステップＳ２１５）、ステップＳ２０３でセットされた光ディスクからメディアＩＤ等のメディア情報を読み出し、データ書込部３１１に出力する（ステップＳ２１７）。データ書込部３１１は、光ディスクドライブ３２からメディア情報を受信し、例えばメインメモリに格納する（ステップＳ２１９）。メディア情報については、サーバ５からストラテジデータを取得するような処理を実施することを表す専用のコードが含まれる場合もある。
【００７５】
また、データ書込部３１１は、ユーザに対して記録条件等（記録速度、サーバ５からストラテジデータを取得するような処理を実施するか否かの指示（実施、不実施、自動的に実施などの設定を含む）など）の入力を促し、ユーザから記録条件等の入力を受け付ける（ステップＳ２２１）。
【００７６】
そして、データ書込部３１１は、サーバ５からストラテジデータを取得するか判断する（ステップＳ２２３）。例えば、ステップＳ２２１でユーザから指示された場合、ステップＳ２１９で上で述べたような専用のコードを受信した場合、ＰＣ３がネットワーク１に接続していることを確認できた場合などに、サーバ５からストラテジデータを取得すると判断する。それ以外の場合には、端子Ａを介して第１の実施の形態において説明した図９の処理に移行する。よって説明は省略する。
【００７７】
サーバ５からストラテジデータを取得する場合には、取得メディアＩＤに対応し、ストラテジデータを保持するサーバ５のＵＲＬを、例えばＵＲＬ管理ファイル３１３から読み出す（ステップＳ２２５）。なお、サーバ５のＵＲＬは、ＰＣ本体３１で管理する場合もあれば、光ディスクドライブ３２のメモリに格納されており、例えばメディア情報と共に光ディスクドライブ３２から受信する場合もある。
【００７８】
そして、記録用設定情報取得設定部３１１１は、ステップＳ２１１で取得したドライブＩＤとステップＳ２１９で取得した取得メディアＩＤとステップＳ２２１で取得した記録速度とを含むストラテジ要求をネットワーク１を介してステップＳ２２５で取得したＵＲＬ宛（サーバ５）に送信する（ステップＳ２２７）。なお、サーバ５の利用が会員制などである場合には、ログインのための処理を実施した後にステップＳ２２７を実施する。
【００７９】
サーバ５は、ＰＣ３からドライブＩＤと取得メディアＩＤと記録速度とを含むストラテジ要求を受信すると（ステップＳ２２９）、受信したドライブＩＤ、取得メディアＩＤ及び記録速度の組み合わせでストラテジデータ格納部５１を検索してドライブＩＤ、取得メディアＩＤ及び記録速度に対応するストラテジデータを読み出し、要求元のＰＣ３へ送信する（ステップＳ２３１）。ＰＣ本体３１におけるデータ書込部３１１の記録用設定情報取得設定部３１１１は、サーバ５から、ドライブＩＤ及び取得メディアＩＤに対応するストラテジデータを受信し、例えばハードディスクドライブなどに一旦格納する（ステップＳ２３３）。処理は端子Ｅを介して図１７の処理に移行する。
【００８０】
図１７の処理の説明に移行して、記録用設定情報取得設定部３１１１は、受信したストラテジデータを含むストラテジ設定コマンドを光ディスクドライブ３２に出力する（ステップＳ２３５）。光ディスクドライブ３２は、ストラテジデータを含むストラテジ設定コマンドを受信し（ステップＳ２３７）、当該ストラテジデータを記録用設定情報格納部３２１に上書き記録する（ステップＳ２３９）。なお、従前の（例えば、デフォルトの）ストラテジデータを残しておいて、受け取ったストラテジデータを追記するようにしてもよい。
【００８１】
また、光ディスクドライブ３２は、ステップＳ２１７で読み出したメディアＩＤに対応するストラテジデータを記録用設定情報格納部３２１から読み出し、今回使用するストラテジデータとして設定する（ステップＳ２４１）。そして、通常テスト記録（例えば、ＯＰＣ）を実施し、最適記録パワーを特定する（ステップＳ２４３）。この処理については周知の手法を用いることができるので、詳細な説明については省略する。そしてステップＳ２４３で特定された最適記録パワーを、今回使用する記録パワーとして設定する（ステップＳ２４５）。これによってデータ記録を実施する準備が完了した。
【００８２】
よって、光ディスクドライブ３２は、記録パワーの設定完了をＰＣ本体３１のデータ書込部３１１に通知する（ステップＳ２４７）。データ書込部３１１は、光ディスクドライブ３２から記録パワーの設定完了通知を受信すると（ステップＳ２４９）、記録すべきデータを光ディスクドライブ３２に出力する（ステップＳ２５１）。光ディスクドライブ３２は、ＰＣ本体３１から記録データを受信し、上で行われた設定に従ってデータ記録を実施する（ステップＳ２５３）。
【００８３】
このようにすれば、今回のデータ記録に必要な最低限のデータを取得することができ、第１乃至第３の実施の形態よりもサーバ５からダウンロードするデータ量も削減されているため、早期にデータ記録を開始することができるようになる。
【００８４】
なお、第１乃至第３の実施の形態と同様に、パワー制御情報もサーバ５から取得される場合もある。
【００８５】
［実施の形態５］
第５の実施の形態においては、図１８に示すように、管理サーバ７及び管理サーバ７に管理され且つストラテジデータの更新状況に関するデータを含む管理テーブルを格納する管理テーブル格納部７１が導入される。このような管理サーバ７は、例えば光ディスクドライブメーカなどが管理するか、データ書込プログラムの供給者が管理する。独立した事業者によって管理されるようにしても良い。例えば、なお、図１におけるサーバ５は、管理サーバ７と区別するためアクセスサーバとして説明する。また、ＰＣ本体３１には、アクセスサーバ５へのアクセス履歴を格納するアクセス履歴管理ファイル３１４が用意される。さらに、ＵＲＬ管理ファイル３１３には、管理サーバ７のＵＲＬが登録されているものとする。なお、第１の実施の形態とは動作内容が異なるが、同一名称の機能については同一の参照符号を付すものとする。
【００８６】
管理テーブル格納部７１に格納される管理テーブルの一例を図１９に示す。図１９の例では、メディアＩＤ毎に、アクセスサーバのＵＲＬと、当該メディアＩＤのストラテジデータの更新日とが登録されるようになっている。
【００８７】
また、アクセス履歴管理ファイル３１４には、例えば図２０に示すようなデータが登録される。図２０の例では、ＰＣ本体３１が管理サーバ７にアクセスしたアクセス日時が蓄積されるようになっている。
【００８８】
次に、図１８に示すシステムの処理内容を図２１乃至図２３を用いて説明する。まず、例えばＰＣ３のユーザの指示に応じて、データ書込部３１１が起動される（ステップＳ２６１）。また、ユーザは、光ディスクドライブ３２に、今回データ記録を行う光ディスクを挿入するなどして、光ディスクドライブ３２は当該光ディスクをスピンドルモータ等にセットする（ステップＳ２６３）。
【００８９】
そして、ＰＣ本体３１のデータ書込部３１１は、ドライブＩＤ要求を光ディスクドライブ３２に出力する（ステップＳ２６５）。これに対して、光ディスクドライブ３２は、データ書込部３１１からドライブＩＤ要求を受信し（ステップＳ２６７）、例えば光ディスクドライブ３２のメモリに格納されているドライブＩＤ（装置ＩＤ）を読み出して、データ書込部３１１に出力する（ステップＳ２６９）。データ書込部３１１は、光ディスクドライブ３２からドライブＩＤを受信し、例えばメインメモリに格納する（ステップＳ２７１）。なお、ＯＳ等により既にＰＣ３の構成データとして取得されているデータが存在する場合には、ステップＳ２６５乃至２７１の代わりに、データ書込部３１１は、当該データを用いるようにしても良い。
【００９０】
さらに、データ書込部３１１は、光ディスクドライブ３２にメディア情報取得要求を出力する（ステップＳ２７３）。光ディスクドライブ３２は、メディア情報取得要求を受信し（ステップＳ２７５）、ステップＳ２６３でセットされた光ディスクからメディアＩＤ等のメディア情報を読み出し、データ書込部３１１に出力する（ステップＳ２７７）。データ書込部３１１は、光ディスクドライブ３２からメディア情報を受信し、例えばメインメモリに格納する（ステップＳ２７９）。メディア情報については、アクセスサーバ５からストラテジデータを取得するような処理を実施することを表す専用のコードが含まれる場合もある。
【００９１】
また、データ書込部３１１は、ユーザに対して記録条件等（記録速度、アクセスサーバ５からストラテジデータを取得するような処理を実施するか否かの指示（実施、不実施、自動的に実施などの設定を含む）など）の入力を促し、ユーザから記録条件等の入力を受け付ける（ステップＳ２８１）。
【００９２】
そして、データ書込部３１１は、アクセスサーバ５からストラテジデータを取得するか判断する（ステップＳ２８３）。例えば、ステップＳ２８１でユーザから指示された場合、ステップＳ２７９で上で述べたような専用のコードを受信した場合、ＰＣ３がネットワーク１に接続していることを確認できた場合などに、アクセスサーバ５からストラテジデータを取得すると判断する。それ以外の場合には、端子Ａを介して第１の実施の形態において説明した図９の処理に移行する。よって説明は省略する。
【００９３】
アクセスサーバ５からストラテジデータを取得する場合には、記録用設定情報取得設定部３１１１は、管理サーバ７のＵＲＬを、例えばＵＲＬ管理ファイル３１３から読み出す（ステップＳ２８５）。なお、管理サーバ７のＵＲＬは、ＰＣ本体３１で管理する場合もあれば、光ディスクドライブ３２のメモリに格納されており、例えばメディア情報と共に光ディスクドライブ３２から受信する場合もある。
【００９４】
そして、記録用設定情報取得設定部３１１１は、アクセス履歴管理ファイル３１４から前回アクセス日時のデータを読み出し、当該前回アクセス日時を含む更新条件データ要求を、ステップＳ２８５で取得したＵＲＬ宛（管理サーバ７）に送信する（ステップＳ２８７）。なお、管理サーバ７の利用が会員制などである場合には、ログインのための処理を実施した後にステップＳ２８７を実施する。
【００９５】
管理サーバ７は、ＰＣ３から前回アクセス日時を含む更新条件データ要求を受信すると（ステップＳ２８９）、前回アクセス日時で管理テーブル格納部７１を検索し、前回アクセス日時以降の更新日が登録されているレコードのメディアＩＤ及び対応するＵＲＬを抽出し、要求元のＰＣ３に返信する（ステップＳ２９１）。ＰＣ本体３１におけるデータ書込部３１１の記録用設定情報取得設定部３１１１は、管理サーバ７から、ストラテジデータが更新されているメディアＩＤ及びＵＲＬを受信し、例えばメインメモリに格納する（ステップＳ２９３）。処理は端子Ｆを介して図２２の処理に移行する。なお、メディアＩＤ及びＵＲＬの組み合わせを全く受信しない場合もある。この場合には、図示していないが図９の処理に移行する。
【００９６】
図２２の処理の説明に移行して、記録用設定情報取得設定部３１１１は、ステップＳ２７１で取得したドライブＩＤとステップＳ２９３で受信したメディアＩＤ（取得メディアＩＤ）とを含むストラテジ要求を、ステップＳ２９３で受信したＵＲＬ宛（アクセスサーバ５）に送信する（ステップＳ２９３）。メディアＩＤ及びＵＲＬの組み合わせが複数受信された場合には、宛先のＵＲＬ毎にストラテジ要求をまとめる。例えば、図１９の例では、ＩＤ＿ａとＩＤ＿ｂとが管理サーバ７から通知されると、アクセスサーバ５のＵＲＬは同じであるから、１つのストラテジ要求にまとめる。但し、別個のストラテジ要求として複数回送信するようにしても良い。
【００９７】
アクセスサーバ５は、ＰＣ３からドライブＩＤと取得メディアＩＤとを含むストラテジ要求を受信すると（ステップＳ２９５）、受信したドライブＩＤ及び取得メディアＩＤの組み合わせでストラテジデータ格納部５１を検索してドライブＩＤ及び取得メディアＩＤに対応するストラテジデータを読み出し、要求元のＰＣ３へ送信する（ステップＳ２９７）。ＰＣ本体３１におけるデータ書込部３１１の記録用設定情報取得設定部３１１１は、アクセスサーバ５から、ドライブＩＤ及び取得メディアＩＤに対応するストラテジデータを受信し、例えばハードディスクドライブなどに一旦格納する（ステップＳ２９９）。
【００９８】
その後、記録用設定情報取得設定部３１１１は、受信したストラテジデータを含むストラテジ設定コマンドを光ディスクドライブ３２に出力する（ステップＳ３０１）。光ディスクドライブ３２は、ストラテジデータを含むストラテジ設定コマンドを受信し（ステップＳ３０３）、当該ストラテジデータを記録用設定情報格納部３２１に上書き記録する（ステップＳ３０５）。なお、従前の（例えば、デフォルトの）ストラテジデータを残しておいて、受け取ったストラテジデータを追記するようにしてもよい。
【００９９】
また、光ディスクドライブ３２は、ステップＳ２７７で読み出したメディアＩＤに対応するストラテジデータを記録用設定情報格納部３２１から読み出し、今回使用するストラテジデータとして設定する（ステップＳ３０７）。そして、通常テスト記録（例えば、ＯＰＣ）を実施し、最適記録パワーを特定する（ステップＳ３０９）。この処理については周知の手法を用いることができるので、詳細な説明については省略する。そしてステップＳ３０９で特定された最適記録パワーを、今回使用する記録パワーとして設定する（ステップＳ３１１）。これによってデータ記録を実施する準備が完了した。
【０１００】
よって、光ディスクドライブ３２は、記録パワーの設定完了をＰＣ本体３１のデータ書込部３１１に通知する（ステップＳ３１３）。データ書込部３１１は、光ディスクドライブ３２から記録パワーの設定完了通知を受信すると（ステップＳ３１５）、記録すべきデータを光ディスクドライブ３２に出力する（ステップＳ３１７）。光ディスクドライブ３２は、ＰＣ本体３１から記録データを受信し、上で行われた設定に従ってデータ記録を実施する（ステップＳ３１９）。
【０１０１】
このようにすれば、更新があったストラテジデータのみを必要なときにアクセスサーバ５から取得するため、アクセスサーバ５からダウンロードするデータ量を削減でき、早期にデータ記録を開始することができるようになる。
【０１０２】
さらにアクセスサーバ５からダウンロードするデータ量を削減するためには、例えば管理テーブル格納部７１に格納するデータを、例えば図２３に示すように、メディアＩＤ毎ではなく、ストラテジデータの更新のあったパラメータ毎に又は単にパラメータ毎に更新日を管理する。そして、ストラテジ要求に、更新のあったパラメータを含めることによって、更新のあったパラメータについてのデータのみをダウンロードするようにする。
【０１０３】
本実施の形態はこれ以外にも、変形が可能である。例えば管理サーバ７で前回アクセス日時以降に更新されたデータを抽出したが、例えば管理サーバ７から管理テーブル格納部７１に格納されたデータをダウンロードして、ＰＣ本体３１のデータ書込部３１１で、前回アクセス日時以降に更新されたデータを抽出するようにしても良い。
【０１０４】
また、ＵＲＬ管理ファイル３１３に図６のようなデータを追加で保持しておき、管理サーバ７は、ストラテジデータが更新されたメディアＩＤのみを通知するようにして、ＰＣ本体３１においてＵＲＬを特定するようにしても良い。
【０１０５】
さらに、更新条件データ要求にステップＳ２７９で受信したメディアＩＤを含むようにして、管理サーバ７における抽出対象を当該メディアＩＤに限定することも可能である。同様に、実施の形態２乃至４を本実施の形態に組み合わせるようにしても良い。
【０１０６】
以上本発明の実施の形態を説明したが、本発明はこれに限定されるものではない。例えば、図１、図１０及び図１８に示した機能ブロック図は説明の都合上示したものであって、必ずしも実際のプログラムのモジュール構成とは対応しない場合がある。
【０１０７】
また、処理フローについても同様の結果を得ることができれば、処理順番などを変更したりすることも可能である。さらに、ＰＣについての例を示したが、ＰＣではなく光ディスクドライブを内蔵し、ネットワークに接続される記録機器の場合もある。
【０１０８】
なお、ＰＣ３、管理サーバ７及びサーバ５は、例えばコンピュータ装置であって、図２４に示すように当該コンピュータ装置においては、メモリ２５０１（記憶部）とＣＰＵ２５０３（処理部）とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ）及びＷｅｂブラウザを含むアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。このようなコンピュータは、上で述べたＣＰＵ２５０３、メモリ２５０１などのハードウエアとＯＳ及び必要なアプリケーション・プログラムとが有機的に協働することにより、上で述べたような各種機能を実現する。
【図面の簡単な説明】
【０１０９】
【図１】本発明の第１の実施の形態における機能ブロック図である。
【図２】ストラテジデータ格納部におけるデータ構造を示す図である。
【図３】マルチパルス形式におけるパラメータを説明するための図である。
【図４】ノンマルチパルス形式におけるパラメータを説明するための図である。
【図５】ｄＴｔｏｐというパラメータについてのストラテジデータの保持方式を示す図である。
【図６】ＵＲＬ管理ファイルに格納されるデータの一例を示す図である。
【図７】本発明の第１の実施の形態における処理フローを示す図である。
【図８】本発明の第１の実施の形態における処理フローを示す図である。
【図９】本発明の第１の実施の形態における処理フローを示す図である。
【図１０】本発明の第２の実施の形態における機能ブロック図である。
【図１１】光ディスク使用履歴ファイルに格納されるデータの一例を示す図である。
【図１２】本発明の第２の実施の形態における処理フローを示す図である。
【図１３】本発明の第２の実施の形態における処理フローを示す図である。
【図１４】本発明の第３の実施の形態における処理フローを示す図である。
【図１５】本発明の第３の実施の形態における処理フローを示す図である。
【図１６】本発明の第４の実施の形態における処理フローを示す図である。
【図１７】本発明の第４の実施の形態における処理フローを示す図である。
【図１８】本発明の第５の実施の形態における機能ブロック図である。
【図１９】管理テーブル格納部に格納されるデータの一例を示す図である。
【図２０】アクセス履歴管理ファイルに格納されるデータの一例を示す図である。
【図２１】本発明の第５の実施の形態における処理フローを示す図である。
【図２２】本発明の第５の実施の形態における処理フローを示す図である。
【図２３】本発明の第５の実施の形態の変形例における管理テーブル格納部に格納されるデータの一例を示す図である。
【図２４】コンピュータの機能ブロック図である。
【符号の説明】
【０１１０】
１  ネットワーク    ３  ＰＣ
５  サーバ／アクセスサーバ
７  管理サーバ
３１  ＰＣ本体    ３２  光ディスクドライブ
５１  ストラテジデータ格納部
７１  管理テーブル格納部
３１１  データ書込部
３１２  光ディスク使用履歴管理ファイル
３１３  ＵＲＬ管理ファイル
３１４  アクセス履歴管理ファイル
３２１  記録用設定情報格納部
【図１】
2008299881.tif 000003
【図２】
2008299881.tif 000004
【図３】
2008299881.tif 000005
【図４】
2008299881.tif 000006
【図５】
2008299881.tif 000007
【図６】
2008299881.tif 000008
【図７】
2008299881.tif 000009
【図８】
2008299881.tif 000010
【図９】
2008299881.tif 000011
【図１０】
2008299881.tif 000012
【図１１】
2008299881.tif 000013
【図１２】
2008299881.tif 000014
【図１３】
2008299881.tif 000015
【図１４】
2008299881.tif 000016
【図１５】
2008299881.tif 000017
【図１６】
2008299881.tif 000018
【図１７】
2008299881.tif 000019
【図１８】
2008299881.tif 000020
【図１９】
2008299881.tif 000021
【図２０】
2008299881.tif 000022
【図２１】
2008299881.tif 000023
【図２２】
2008299881.tif 000024
【図２３】
2008299881.tif 000025
【図２４】
2008299881.tif 000026